【手続補正書】
【提出日】平成17年6月22日(2005.6.22)
【手続補正１】
【補正対象書類名】明細書
【補正対象項目名】特許請求の範囲
【補正方法】変更
【補正の内容】
【特許請求の範囲】
【請求項１】  被セキュリティシステムと、該被セキュリティシステムへのユーザ接続部と、加入者番号Ａを有しユーザの所有物である通信装置とを含む、前記被セキュリティシステムのユーザ認証装置において、該ユーザ認証装置はさらに、
電話網に接続され呼信号から発呼者の加入者番号を識別する集中認証装置を含み、さらに該集中認証装置は、情報網接続を通じて複数の被セキュリティシステムに接続され、
前記被セキュリティシステムは、前記ユーザ接続部を通じて該被セキュリティシステムにログインするユーザに応答して、該ユーザの通信装置の加入者番号Ａまたはこのような番号を定義する識別子を含む照合要求を前記認証装置に与え、
該ユーザ認証装置は該認証装置に関する加入者番号Ｂを含み、該加入者番号Ｂは、前記ユーザに知られているかあるいは該ユーザが前記被セキュリティシステムにログインする時に該被セキュリティシステムにより前記ユーザ接続部を通じて前記ユーザに通知され、
該認証装置は、前記照合要求に応答して、前記加入者番号Ａから前記電話網を通じて前記加入者番号Ｂに到来する呼を待ち受け、前記加入者番号Ａから前記加入者番号Ｂへの呼が受信された時は、前記認証装置は前記被セキュリティシステムに肯定的な照合結果を通知し、または所定の時間内に前記加入者番号Ａから前記加入者番号Ｂへの呼が受信されなかった時は、前記認証装置は前記被セキュリティシステムに照合が失敗したことを通知し、該被セキュリティシステムは、照合が肯定的であるかまたは照合が失敗であるかに基づいてそれぞれ、被セキュリティサービスを前記ユーザに提供するか、または該サービスの提供を拒否するかのいずれかであることを特徴とするユーザ認証装置。
【請求項２】  請求項１に記載のユーザ認証装置において、加入者番号Ａの認証に加えて、該認証装置は前記電話網より、前記通信装置から前記認証装置に対して設定された電話接続を通して前記ユーザの発生した情報を受信することを特徴とするユーザ認証装置。
【請求項３】  請求項２に記載のユーザ認証装置において、前記認証装置は、前記照合要求に対する応答に関して受信した情報またはこれに相当する識別子を送ることを特徴とするユーザ認証装置。
【請求項４】  請求項２または３に記載のユーザ認証装置において、前記情報は、固有IDコード、ワンタイムIDコード、バイオメトリクスデータのうちの１つ以上を含むことを特徴とするユーザ認証装置。
【請求項５】  請求項４に記載のユーザ認証装置において、前記被セキュリティシステムはワンタイムIDコードを発生し、該ワンタイムIDコードを前記加入者番号Ｂとともに前記ユーザに通知することを特徴とするユーザ認証装置。
【請求項６】  請求項１から５までのいずれかに記載のユーザ認証装置において、前記加入者番号Ｂは、多数の番号からなるセットまたは大きな番号空間から選択された実質的にワンタイムの番号であることを特徴とするユーザ認証装置。
【請求項７】  請求項１から６までのいずれかに記載のユーザ認証装置において、該装置は、有料被セキュリティシステムの利用に対する課金承認に使用され、該課金は、有料加入者番号Ｂの使用により実行されることを特徴とするユーザ認証装置。
【請求項８】  請求項７に記載のユーザ認証装置において、前記被セキュリティシステムは、加入者番号Ｂを各課金イベント毎に加入者番号Ｂのセットから選択し、各加入者番号Ｂは、異なる固定通話料を有するか、または各支払いイベント毎に個別に通話料が付与されることを特徴とするユーザ認証装置。
【請求項９】  請求項１から８までのいずれかに記載のユーザ認証装置において、前記被セキュリティシステムはインターネットサーバを含み、前記ユーザ接続部は、前記ユーザのデータ端末と該サーバとの間の情報網接続部を含むことを特徴とするユーザ認証装置。
【請求項１０】  請求項１から８までのいずれかに記載のユーザ認証装置において、前記被セキュリティシステムは自動化サービス装置を含み、前記ユーザ接続部は該サービス装置のユーザインターフェース部を含むことを特徴とするユーザ認証装置。
【請求項１１】  被セキュリティシステムと、該被セキュリティシステムに対するユーザ接続部と、加入者番号Ａを有しユーザの所有物である通信装置とを含む、前記被セキュリティシステムの利用に対する課金の照合装置において、該照合装置はさらに、電話網に接続され呼信号から発呼者の加入者番号を認証する集中認証装置を含み、該認証装置は、さらに被セキュリティ情報網接続を通じて複数の被セキュリティシステムに接続され、
前記被セキュリティシステムは、前記ユーザ接続部を通じて該被セキュリティシステムにログインするユーザに応答して、該ユーザに有料加入者番号Ｂを通知し、前記認証装置に照合要求を与え、
該認証装置は、該照合要求に応答して、前記電話網から前記加入者番号Ｂに到来する呼を待ち受け、
前記認証装置は、前記加入者番号Ｂに対する呼の受信に応答して、肯定的な照合応答を前記被セキュリティシステムに与え、
該被セキュリティシステムが、前記肯定的な照合応答に応答して、前記ユーザに前記ユーザ接続部を通じて有料サービスを利用することを許可することを特徴とする照合装置。
【請求項１２】  請求項11に記載の照合装置において、前記課金は、有料加入者番号Ｂを使用して匿名で行われ、該有料加入者番号Ｂは、前記サービスに対して用意された加入者番号Ｂ空間から前記照合要求に割り当てることができ、該照合要求中に加入者番号Ａを含めなくても、前記認証装置は、前記加入者番号Ｂに対していずれかの加入者番号Ａから呼を受信すればそれに基づき照合を実行することを特徴とする照合装置。
【請求項１３】  電話網に接続され、呼信号から発呼者の加入者番号を認証する認証装置において、
該認証装置は、ユーザが個々のユーザ接続部を通じてログインできる少なくとも２つの被セキュリティシステムに複数の被セキュリティ情報網接続を通じて接続され、該被セキュリティシステムは照合要求が可能であり、
該認証装置は、前記被セキュリティシステムから送られる照合要求に応答し、該照合要求は前記ユーザの通信装置の加入者番号、またはこのような番号を定義する識別子を含み、該認証装置は、前記加入者番号から特定の加入者番号Ｂに電話網を通じて到来する呼を待ち受け、このような呼の到着時に、前記認証装置は肯定的な照合応答を前記被セキュリティシステムに与え、または所定の時間内に前記加入者番号から加入者番号Ｂに発呼されなかった時は、該認証装置は否定的な照合応答を前記被セキュリティシステムに与え、これにより該被セキュリティシステムは前記肯定的または否定的な照合応答に基づき被セキュリティサービスを前記ユーザに提供するかまたは該サービスの提供を拒否し、前記加入者番号Ｂは前記ユーザに知られているか、または該ユーザに前記被セキュリティシステムにより前記ユーザ接続部を通じて通知されるかのいずれかであることを特徴とする認証装置。
【請求項１４】  ユーザが、該ユーザの所有する、加入者番号Ａを備えた通信装置を有する場合に、有料であるサービス、またはユーザ接続部を通じて前記ユーザに対する認証を行う必要があるサービスを提供する被セキュリティシステムにおいて、
該被セキュリティシステムは、被セキュリティ情報網接続を通じて集中認証装置に接続され、該集中認証装置はさらに電話網に接続されかつ呼信号から発呼加入者番号Ａを認証し、該認証装置は、照合要求を送ることができる複数の被セキュリティシステムに複数の被セキュリティ情報網接続を通じて接続されており、
該被セキュリティシステムは、前記ユーザ接続部を通じてログインするユーザに応答して、前記ユーザの通信装置の前記加入者番号Ａ、またはこのような番号を定義する識別子を含む照合要求を前記認証装置に与え、かつ前記ユーザ接続部を通じて前記認証装置に関する加入者番号Ｂを前記ユーザに通知し、該ユーザは前記通信装置を用いて該加入者番号Ｂを呼び出し、
該被セキュリティシステムは、前記認証装置が前記加入者番号Ａからの呼を受信したことを指示するために前記認証装置が送信する照合応答に応答して、要求されたサービスを、前記ユーザ接続部を通じてユーザに提供し、
該被セキュリティシステムは、前記認証装置が所定の時間内に前記加入者番号Ａからの呼を受信しなかったことを指示するために前記認証装置が送信する照合応答に応答して、前記ユーザから要求されたサービスを、前記ユーザ接続部を通じて拒否することを特徴とする被セキュリティシステム。
【請求項１５】  請求項14に記載のシステムにおいて、該被セキュリティシステムはインターネットサーバを含み、前記ユーザ接続部は、前記ユーザのデータ端末と前記サーバとの間の情報網接続部を含むことを特徴とする被セキュリティシステム。
【請求項１６】  請求項14に記載のシステムにおいて、該被セキュリティシステムは自動化サービス装置を含み、前記ユーザ接続は該サービス装置のユーザインターフェース部を含むことを特徴とする被セキュリティシステム。